(57)【要約】【課題】従来、屋根のある建物内でコンクリート製品を製造してきたが、工場内に設置してあるクレーンしか使用できず、仮枠の移動、製品の移動に不便であった。【解決手段】型枠本体１Ａと加熱手段から構成され、型枠本体１Ａは、製作しようとする梁材あるいは桁材３の両側面と前後面に対応するよう構成された右方の型枠体１Ａ１、左方の型枠体１Ａ２、前方の枠体１Ａ３、後方の枠体１Ａ４から構成され、加熱手段は、右方の型枠体および左方の型枠体内への温水供給、電熱供給、電熱シートの発熱、温風供給などにより構成されている。【選択図】　　　　図１
2004009315.tif 000002
【特許請求の範囲】
【請求項１】
型枠本体（１Ａ）と加熱手段から構成され、型枠本体（１Ａ）は、製作しようとする梁材あるいは桁材（３）の両側面と前後面に対応するよう構成された右方の型枠体（１Ａ１）と、左方の型枠体（１Ａ２）と、前方の枠体（１Ａ３）と、後方の枠体（１Ａ４）から構成され、右方の型枠体（１Ａ１）は、中空状態に構成され、左方の型枠体（１Ａ２）は、中空状態に構成され、右方の型枠体（１Ａ１）と左方の型枠体（１Ａ２）の上方部分は、前後のスぺーサーで連結され、加熱手段は、右方の型枠体（１Ａ１）および左方の型枠体（１Ａ２）内への温水供給、電熱供給、電熱シートの発熱、温風供給などにより構成されていることを特徴とする梁用型枠。
【請求項２】
型枠本体（１Ａ）と温水供給部（１Ｂ）から構成され、
型枠本体（１Ａ）は、右方の型枠体（１Ａ１）と、左方の型枠体（１Ａ２）と、前方の枠体（１Ａ３）と、後方の枠体（１Ａ４）から構成され、右方の型枠体（１Ａ１）は、内側板（１Ａ１１）と細幅壁（１Ａ１２）と外側板（１Ａ１３）から構成され、内側板（１Ａ１１）は、梁材あるいは桁材（３）の右側面に対応するよう構成され、細幅壁（１Ａ１２）は、所定幅の板を内側板（１Ａ１１）の外周縁に連結して構成され、外側板（１Ａ１３）は、梁材あるいは桁材（３）の右側面に対応するよう構成されていると共に、当該外側板の外周は細幅壁（１Ａ１２）の外方縁に連結され、右方の型枠体（１Ａ１）の上面と右側面には吊り下げ用環（Ｋ、Ｋ．．）が取付けられ、左方の型枠体（１Ａ２）は、内側板（１Ａ２１）と細幅壁（１Ａ２２）と外側板（１Ａ２３）から構成され、内側板（１Ａ２１）は、梁材あるいは桁材（３）の左側面に対応するよう構成され、細幅壁（１Ａ２２）は、所定幅の板を内側板（１Ａ２１）の外周縁に連結して構成され、外側板（１Ａ２３）は、梁材あるいは桁材（３）の左側面に対応するよう構成されていると共に、当該外側板の外周は細幅壁（１Ａ２２）の外方縁に連結され、左方の型枠体（１Ａ２）の上面と左側面には吊り下げ用環（Ｋ、Ｋ．．）が取付けられ、前方の枠体（１Ａ３）は、縦状の板で構成され、床面上に所望する間隔をもって起立された右方の型枠体（１Ａ１）と左方の型枠体（１Ａ２）の前方端部分に挟持された状態で装着され、後方の枠体（１Ａ４）は、縦状の板で構成され、床面上に所望する間隔をもって起立された右方の型枠体（１Ａ１）と左方の型枠体（１Ａ２）の後方端部分に挟持された状態で装着され、右方の型枠体（１Ａ１）と左方の型枠体（１Ａ２）の上方部分は、前後のスぺーサー（１Ａ５、１Ａ５．．）で連結され、
温水供給部（１Ｂ）は、型枠本体（１Ａ）における右方の型枠体（１Ａ１）の内側板（１Ａ１１）と左方の型枠体（１Ａ２）の内側板（１Ａ２１）に、それぞれ蛇行状態の右方温水パイプ（１Ｂ１）と左方温水パイプ（１Ｂ２）が添着して構成されていることを特徴とする梁用型枠。
【請求項３】
型枠本体（１Ａ）と電熱供給部（１Ｃ）から構成され、電熱供給部（１Ｃ）は、型枠本体（１Ａ）における右方の型枠体（１Ａ１）の内側板（１Ａ１１）と左方の型枠体（１Ａ２）の内側板（１Ａ２１）に、それぞれ蛇行状態の電熱線（１Ｃ１、１Ｃ２）が添着して構成されている請求項２記載の梁用型枠。
【請求項４】
型枠本体（１Ａ）と電熱シートによる電熱供給部（１Ｄ）から構成され、電熱シートによる電熱供給部（１Ｄ）は、型枠本体（１Ａ）における右方の型枠体（１Ａ１）の内側板（１Ａ１１）と左方の型枠体（１Ａ２）の内側板（１Ａ２１）に、それぞれ電熱シート（１Ｄ１、１Ｄ２．．）が添着して構成されている請求項２記載の梁用型枠。
【請求項５】
型枠本体（１Ａ）と温風供給部（１Ｅ）から構成され、温風供給部（１Ｅ）は、型枠本体（１Ａ）における右方の型枠体（１Ａ１）の内側板（１Ａ１１）と外側板（１Ａ１３）の間、および左方の型枠体（１Ａ２）の内側板（１Ａ２１）と外側板（１Ａ２３）の間に、それぞれ蛇行状態で形成された右方温風通路（１Ｅ１）と、左方温風通路（１Ｅ２）が形成されている請求項２記載の梁用型枠。
【請求項６】
梁用型枠の下面に電熱ロードヒーティング（１Ｆ）が配設されている請求項１ないし請求項５のいずれかに記載の梁用型枠。
【請求項７】
型枠本体（２Ａ）と加熱手段から構成され、型枠本体（２Ａ）は、製作しようとする基礎（４）の両側面と前後面に対応するよう構成された右方の型枠体（２Ａ１）と、左方の型枠体（２Ａ２）と、前方の枠体（２Ａ３）と、後方の枠体（２Ａ４）から構成され、右方の型枠体（２Ａ１）は、中空状態に構成され、左方の型枠体（２Ａ２）は、中空状態に構成され、右方の型枠体（２Ａ１）と左方の型枠体（２Ａ２）の上方部分は、前後のスぺーサーで連結され、加熱手段は、右方の型枠体（２Ａ１）および左方の型枠体（２Ａ２）内への温水供給、電熱供給、電熱シートの発熱、温風供給などにより構成されていることを特徴とする基礎用型枠。
【請求項８】
型枠本体（２Ａ）と温水供給部（２Ｂ）から構成され、
型枠本体（２Ａ）は、右方の型枠体（２Ａ１）と、左方の型枠体（２Ａ２）と、前方の枠体（２Ａ３）と、後方の枠体（２Ａ４）から構成され、右方の型枠体（２Ａ１）は、内側板（２Ａ１１）と細幅壁（２Ａ１２）と外側板（２Ａ１３）から構成され、内側板（２Ａ１１）は、布基礎（４）におけるベース部（４Ａ）と立上がり部（４Ｂ）の右側面に対応するよう構成され、細幅壁（２Ａ１２）は、所定幅の板を内側板（２Ａ１１）の外周縁に連結して構成され、外側板（２Ａ１３）は、布基礎（４）におけるベース部（４Ａ）と立上がり部（４Ｂ）の右側面に対応するよう構成されていると共に、当該外側板の外周は細幅壁（２Ａ１２）の外方縁に連結され、右方の型枠体（２Ａ１）の上面と右側面には吊り下げ用環（Ｋ、Ｋ．．）が取付けられ、左方の型枠体（２Ａ２）は、内側板（２Ａ２１）と細幅壁（２Ａ２２）と外側板（２Ａ２３）から構成され、内側板（２Ａ２１）は、布基礎（４）におけるベース部（４Ａ）と立上がり部（４Ｂ）の左側面に対応するよう構成され、細幅壁（２Ａ２２）は、所定幅の板を内側板（２Ａ２１）の外周縁に連結して構成され、外側板（２Ａ２３）は、布基礎（４）におけるベース部（４Ａ）と立上がり部（４Ｂ）の左側面に対応するよう構成されていると共に、当該外側板の外周は細幅壁（２Ａ２２）の外方縁に連結され、左方の型枠体（２Ａ２）の上面と左側面には吊り下げ用環（Ｋ、Ｋ．．）が取付けられ、前方の枠体（２Ａ３）は、逆Ｔ字状の板で構成され、床面上に所望する間隔をもって起立された右方の型枠体（２Ａ１）と左方の型枠体（２Ａ２）の前方端部分に挟持された状態で装着され、後方の枠体（２Ａ４）は、逆Ｔ字状の板で構成され、床面上に所望する間隔をもって起立された右方の型枠体（２Ａ１）と左方の型枠体（２Ａ２）の後方端部分に挟持された状態で装着され、右方の型枠体（２Ａ１）と左方の型枠体（２Ａ２）の上方部分は、前後のスぺーサー（２Ａ５、２Ａ５．．）で連結され、
温水供給部（２Ｂ）は、型枠本体（２Ａ）における右方の型枠体（２Ａ１）の内側板（２Ａ１１）と左方の型枠体（２Ａ２）の内側板（２Ａ２１）に、それぞれ蛇行状態の右方温水パイプ（２Ｂ１）と左方温水パイプ（２Ｂ２）が添着して構成されていることを特徴とする基礎用型枠。
【請求項９】
型枠本体（２Ａ）と電熱供給部（２Ｃ）から構成され、電熱供給部（２Ｃ）は、型枠本体（２Ａ）における右方の型枠体（２Ａ１）の内側板（２Ａ１１）と左方の型枠体（２Ａ２）の内側板（２Ａ２１）に、それぞれ蛇行状態の電熱線（２Ｃ１、２Ｃ２）が添着して構成されている請求項８記載の基礎用型枠。
【請求項１０】
型枠本体（２Ａ）と電熱シートによる電熱供給部（２Ｄ）から構成され、電熱シートによる電熱供給部（２Ｄ）は、型枠本体（２Ａ）における右方の型枠体（２Ａ１）の内側板（２Ａ１１）と左方の型枠体（２Ａ２）の内側板（２Ａ２１）に、それぞれ電熱シート（２Ｄ１、２Ｄ２．．）が添着して構成されている請求項８記載の基礎用型枠。
【請求項１１】
型枠本体（２Ａ）と温風供給部（２Ｅ）から構成され、温風供給部（２Ｅ）は、型枠本体（２Ａ）における右方の型枠体（２Ａ１）の内側板（２Ａ１１）と外側板（２Ａ１３）の間、および左方の型枠体（２Ａ２）の内側板（２Ａ２１）と外側板（２Ａ２３）の間に、それぞれ蛇行状態で形成された右方温風通路（２Ｅ１）と、左方温風通路（２Ｅ２）が構成されている請求項８記載の基礎用型枠。
【請求項１２】
基礎用型枠の下面に電熱ロードヒーティング（２Ｆ）が配設されている請求項８ないし請求項１１のいずれかに記載の基礎用型枠。
【発明の詳細な説明】
【０００１】
【発明の属する技術分野】
本発明は、新規な構成を有する梁用型枠と基礎用型枠に関するものである。
詳しくは、冬期間屋外で囲いを用いず基礎を製作できる型枠に係るものである。
【０００２】
【従来の技術】
従来、屋根のある建物内でコンクリート製品（Ｐｃａ）を製造してきたが、工場内に設置してあるクレーンしか使用できず、仮枠の移動、製品の移動に不便であった。
【０００３】
【発明が解決しようとする課題】
従来の技術で述べたものにあっては、下記のような問題点を有していた。
屋根のある建物内でコンクリート製品を製造するのでは、工場内に設置してあるクレーンしか使用できず、仮枠の移動、製品の移動に不便であった。
【０００４】
本発明は、従来の技術の有するこのような問題点に鑑みなされたものであり、その目的とするところは、下記のことができるものを提供しようとするものである。
Ａ．コンクリート製品の製造を屋外でやることでトラッククレーンも使用でき、型枠の移動、コンクリート製品の移動積込みが非常に効率的になる。
Ｂ．冬期間にコンクリート製品を製作する場合に、コンクリート注入後、所定強度に達するまで一定の温度に保たなければならない。
そのため、注入後のコンクリートが所定強度に達するまでこれを囲い、外気に触れないようにしなければならず、更に内部にヒーターなどを設置して所定温度を確保する必要がある。
屋根の掛かった状態でトラッククレーンを使用するのは不可能である。
Ｃ．これを可能にするため、前記型枠近くに熱源を確保し、型枠本体内部の空気を温め、一定温度を確保し、屋根、壁などの囲いを設けずコンクリートが所定の強度に達するまで全て屋外で作業するものである。
ａ．熱源として電熱線を使用する。
既に一般的に冬期間の現場打ちコンクリート養生用に使用されているもので、型枠内部（コンクリートが接する側）に配線し熱源に接続し、型枠本体内側の金属板またはＦＲＰ板を温め所定温度を得る。
ｂ．温水を利用する。
既に一般的に屋外のロードヒーティング用に用いられている温水パイプを配置し、ボイラーに接続し内部を循環させ、同じく型枠本体内側の金属板またはＦＲＰ板を温める。
ｃ．型枠本体の一端から温風を吹き込む。
型枠本体中空内空気を一定温度にするため、型枠本体の一端に給排機を設け循環させ、一定温度を保たせる。
ｄ．内部骨部材を設ける場合は、当該内部骨部材には縦、横とも通風孔をあけ空気を流通させ、一定温度にさせることも可能である。
ｅ．以上三つの方法により型枠体の中空部分を温め、冬期間の屋外でのコンクリート製品の養生に使うものである。
【０００５】
【課題を解決するための手段】
上記目的を達成するために、本発明は下記のようになるものである。
請求項１記載の発明は、型枠本体１Ａと加熱手段から構成され、
Ａ．型枠本体１Ａは、製作しようとする梁材あるいは桁材３の両側面と前後面に対応するよう構成された右方の型枠体１Ａ１と、左方の型枠体１Ａ２と、前方の枠体１Ａ３と、後方の枠体１Ａ４から構成され、右方の型枠体１Ａ１は、中空状態に構成され、左方の型枠体１Ａ２は、中空状態に構成され、右方の型枠体１Ａ１と左方の型枠体１Ａ２の上方部分は、前後のスぺーサーで連結され、
Ｂ．加熱手段は、右方の型枠体１Ａ１および左方の型枠体１Ａ２内への温水供給、電熱供給、電熱シートの発熱、温風供給などにより構成されていることを特徴とするものである。
【０００６】
請求項２記載の発明は、型枠本体１Ａと温水供給部１Ｂから構成され、
Ａ．型枠本体１Ａは、右方の型枠体１Ａ１と、左方の型枠体１Ａ２と、前方の枠体１Ａ３と、後方の枠体１Ａ４から構成され、
右方の型枠体１Ａ１は、内側板１Ａ１１と細幅壁１Ａ１２と外側板１Ａ１３から構成され、内側板１Ａ１１は、梁材あるいは桁材３の右側面に対応するよう構成され、細幅壁１Ａ１２は、所定幅の板を内側板１Ａ１１の外周縁に連結して構成され、外側板１Ａ１３は、梁材あるいは桁材３の右側面に対応するよう構成されていると共に、当該外側板の内周は細幅壁１Ａ１２の外方縁に連結され、右方の型枠体１Ａ１の上面と右側面には吊り下げ用環Ｋ、Ｋ．．が取付けられ、
左方の型枠体１Ａ２は、内側板１Ａ２１と細幅壁１Ａ２２と外側板１Ａ２３から構成され、内側板１Ａ２１は、梁材あるいは桁材３の左側面に対応するよう構成され、細幅壁１Ａ２２は、所定幅の板を内側板１Ａ２１の外周縁に連結して構成され、外側板１Ａ２３は、梁材あるいは桁材３の左側面に対応するよう構成されていると共に、当該外側板の外周は細幅壁１Ａ２２の外方縁に連結され、左方の型枠体１Ａ２の上面と左側面には吊り下げ用環Ｋ、Ｋ．．が取付けられ、
前方の枠体１Ａ３は、縦状の板で構成され、床面上に所望する間隔をもって起立された右方の型枠体１Ａ１と左方の型枠体１Ａ２の前方端部分に挟持された状態で装着され、
後方の枠体１Ａ４は、縦状の板で構成され、床面上に所望する間隔をもって起立された右方の型枠体１Ａ１と左方の型枠体１Ａ２の後方端部分に挟持された状態で装着され、
右方の型枠体１Ａ１と左方の型枠体１Ａ２の上方部分は、前後のスぺーサー１Ａ５、１Ａ５．．で連結され、
Ｂ．温水供給部１Ｂは、型枠本体１Ａにおける右方の型枠体１Ａ１の内側板１Ａ１１と左方の型枠体１Ａ２の内側板１Ａ２１に、それぞれ蛇行状態の右方温水パイプ１Ｂ１と左方温水パイプ１Ｂ２が添着して構成されていることを特徴とするものである。
【０００７】
請求項３記載の発明は、請求項２記載の発明において、型枠本体１Ａと電熱供給部１Ｃから構成され、電熱供給部１Ｃは、型枠本体１Ａにおける右方の型枠体１Ａ１の内側板１Ａ１１と左方の型枠体１Ａ２の内側板１Ａ２１に、それぞれ蛇行状態の電熱線１Ｃ１、１Ｃ２が添着して構成されていることを特徴とするものである。
【０００８】
請求項４記載の発明は、請求項２記載の発明において、型枠本体１Ａと電熱シートによる電熱供給部１Ｄから構成され、電熱シートによる電熱供給部１Ｄは、型枠本体１Ａにおける右方の型枠体１Ａ１の内側板１Ａ１１と左方の型枠体１Ａ２の内側板１Ａ２１に、それぞれ電熱シート１Ｄ１、１Ｄ２．．が添着して構成されていることを特徴とするものである。
【０００９】
請求項５記載の発明は、請求項２記載の発明において、型枠本体１Ａと温風供給部１Ｅから構成され、温風供給部１Ｅは、型枠本体１Ａにおける右方の型枠体１Ａ１の内側板１Ａ１１と外側板１Ａ１３の間、および左方の型枠体１Ａ２の内側板１Ａ２１と外側板１Ａ２３の間に、それぞれ蛇行状態で形成された右方温風通路１Ｅ１と、左方温風通路１Ｅ２が形成されていることを特徴とするものである。
【００１０】
請求項６記載の発明は、請求項１ないし請求項５のいずれかに記載の発明において、梁用型枠の下面に電熱ロードヒーティング１Ｆが配設されていることを特徴とするものである。
【００１１】
請求項７記載の発明は、型枠本体２Ａと加熱手段から構成され、
Ａ．型枠本体２Ａは、製作しようとする基礎４の両側面と前後面に対応するよう構成された右方の型枠体２Ａ１と、左方の型枠体２Ａ２と、前方の枠体２Ａ３と、後方の枠体２Ａ４から構成され、
右方の型枠体２Ａ１は、中空状態に構成され、左方の型枠体２Ａ２は、中空状態に構成され、右方の型枠体２Ａ１と左方の型枠体２Ａ２の上方部分は、前後のスぺーサーで連結され、
Ｂ．加熱手段は、右方の型枠体２Ａ１および左方の型枠体２Ａ２内への温水供給、電熱供給、電熱シートの発熱、温風供給などにより構成されていることを特徴とするものである。
【００１２】
請求項８記載の発明は、型枠本体２Ａと温水供給部２Ｂから構成され、
Ａ．型枠本体２Ａは、右方の型枠体２Ａ１と、左方の型枠体２Ａ２と、前方の枠体２Ａ３と、後方の枠体２Ａ４から構成され、
右方の型枠体２Ａ１は、内側板２Ａ１１と細幅壁２Ａ１２と外側板２Ａ１３から構成され、内側板２Ａ１１は、布基礎４におけるベース部４Ａと立上がり部４Ｂの右側面に対応するよう構成され、細幅壁２Ａ１２は、所定幅の板を内側板２Ａ１１の外周縁に連結して構成され、外側板２Ａ１３は、布基礎４におけるベース部４Ａと立上がり部４Ｂの右側面に対応するよう構成されていると共に、当該外側板の外周は細幅壁２Ａ１２の外方縁に連結され、右方の型枠体２Ａ１の上面と右側面には吊り下げ用環Ｋ、Ｋ．．が取付けられ、
左方の型枠体２Ａ２は、内側板２Ａ２１と細幅壁２Ａ２２と外側板２Ａ２３から構成され、内側板２Ａ２１は、布基礎４におけるベース部４Ａと立上がり部４Ｂの左側面に対応するよう構成され、細幅壁２Ａ２２は、所定幅の板を内側板２Ａ２１の外周縁に連結して構成され、外側板２Ａ２３は、布基礎４におけるベース部４Ａと立上がり部４Ｂの左側面に対応するよう構成されていると共に、当該外側板の外周は細幅壁２Ａ２２の外方縁に連結され、左方の型枠体２Ａ２の上面と左側面には吊り下げ用環Ｋ、Ｋ．．が取付けられ、
前方の枠体２Ａ３は、逆Ｔ字状の板で構成され、床面上に所望する間隔をもって起立された右方の型枠体２Ａ１と左方の型枠体２Ａ２の前方端部分に挟持された状態で装着され、
後方の枠体２Ａ４は、逆Ｔ字状の板で構成され、床面上に所望する間隔をもって起立された右方の型枠体２Ａ１と左方の型枠体２Ａ２の後方端部分に挟持された状態で装着され、
右方の型枠体２Ａ１と左方の型枠体２Ａ２の上方部分は、前後のスぺーサー２Ａ５、２Ａ５．．で連結され、
Ｂ．温水供給部２Ｂは、型枠本体２Ａにおける右方の型枠体２Ａ１の内側板２Ａ１１と左方の型枠体２Ａ２の内側板２Ａ２１に、それぞれ蛇行状態の右方温水パイプ２Ｂ１と左方温水パイプ２Ｂ２が添着して構成されていることを特徴とするものである。
【００１３】
請求項９記載の発明は、請求項８記載の発明において、型枠本体２Ａと電熱供給部２Ｃから構成され、電熱供給部２Ｃは、型枠本体２Ａにおける右方の型枠体２Ａ１の内側板２Ａ１１と左方の型枠体２Ａ２の内側板２Ａ２１に、それぞれ蛇行状態の電熱線２Ｃ１、２Ｃ２が添着して構成されていることを特徴とするものである。
【００１４】
請求項１０記載の発明は、請求項８記載の発明において、型枠本体２Ａと電熱シートによる電熱供給部２Ｄから構成され、電熱シートによる電熱供給部２Ｄは、型枠本体２Ａにおける右方の型枠体２Ａ１の内側板２Ａ１１と左方の型枠体２Ａ２の内側板２Ａ２１に、それぞれ電熱シート２Ｄ１、２Ｄ２．．が添着して構成されていることを特徴とするものである。
【００１５】
請求項１１記載の発明は、請求項８記載の発明において、型枠本体２Ａと温風供給部２Ｅから構成され、温風供給部２Ｅは、型枠本体２Ａにおける右方の型枠体２Ａ１の内側板２Ａ１１と外側板２Ａ１３の間、および左方の型枠体２Ａ２の内側板２Ａ２１と外側板２Ａ２３の間に、それぞれ蛇行状態で形成された右方温風通路２Ｅ１と、左方温風通路２Ｅ２が構成されていることを特徴とするものである。
【００１６】
請求項１２記載の発明は、請求項８ないし請求項１１のいずれかに記載の発明において、基礎用型枠の下面に電熱ロードヒーティング２Ｆが配設されていることを特徴とするものである。
【００１７】
【発明の実施の形態】
以下、本発明の実施の形態を実施例にもとづき図面を参照して説明する。
１は第１発明の梁用型枠である。
この第１発明は上下面３Ａ、３Ａと左右面３Ｂ、３Ｂが断面方形の連結された角柱状の梁材あるいは桁材３、板状の壁材などの製作に関するものであるが、以下の説明は角柱状の梁材あるいは桁材を例にしたものである。
そして、その構成は、型枠本体１Ａと温水供給部１Ｂから構成されている。
Ａ．型枠本体１Ａは、右方の型枠体１Ａ１と、左方の型枠体１Ａ２と、前方の枠体１Ａ３と、後方の枠体１Ａ４から構成されている。
ａ．右方の型枠体１Ａ１は、中空状態に構成されている。
詳しくは、内側板１Ａ１１と細幅壁１Ａ１２と外側板１Ａ１３から構成され、内側板１Ａ１１は、梁材あるいは桁材３の右側面に対応するよう構成され、細幅壁１Ａ１２は、所定幅の板を内側板１Ａ１１の外周縁に連結して構成され、外側板１Ａ１３は、梁材あるいは桁材３の右側面に対応するよう構成されていると共に、当該外側板の外周は細幅壁１Ａ１２の外方縁に連結されている。
そして、右方の型枠体１Ａ１の上面と右側面には吊り下げ用環Ｋ、Ｋ．．が取付けられている。
ｂ．左方の型枠体１Ａ２は、中空状態に構成されている。
詳しくは、内側板１Ａ２１と細幅壁１Ａ２２と外側板１Ａ２３から構成され、内側板１Ａ２１は、梁材あるいは桁材３の左側面に対応するよう構成され、細幅壁１Ａ２２は、所定幅の板を内側板１Ａ２１の外周縁に連結して構成され、外側板１Ａ２３は、梁材あるいは桁材３の左側面に対応するよう構成されていると共に、当該外側板の外周は細幅壁１Ａ２２の外方縁に連結されている。
そして、左方の型枠体１Ａ２の上面と左側面には吊り下げ用環Ｋ、Ｋ．．が取付けられている。
【００１８】
ｃ．前方の枠体１Ａ３は、縦状の板で構成され、床面上に所望する間隔をもって起立された右方の型枠体１Ａ１と左方の型枠体１Ａ２の前方端部分に挟持された状態で装着されている。
ｄ．後方の枠体１Ａ４は、縦状の板で構成され、床面上に所望する間隔をもって起立された右方の型枠体１Ａ１と左方の型枠体１Ａ２の後方端部分に挟持された状態で装着されている。
ｅ．右方の型枠体１Ａ１と左方の型枠体１Ａ２の上方部分は、前後のスぺーサー１Ａ５、１Ａ５．．で連結されている。
スぺーサー１Ａ５は棒の両端にナットが螺合されている。
Ｂ．温水供給部１Ｂは、型枠本体１Ａにおける右方の型枠体１Ａ１の内側板１Ａ１１と左方の型枠体１Ａ２の内側板１Ａ２１に、それぞれ蛇行状態の右方温水パイプ１Ｂ１と左方温水パイプ１Ｂ２が添着して構成されている。
別途設けた温水ボイラー１Ｂ３に連結された往きパイプ１Ｂ３１は、各温水パイプの始端に連結され、また、還りパイプ１Ｂ３２は各温水パイプの終端に連結されている。
【００１９】
１イは第１発明の第１他の実施例の梁用型枠である。
そして、その構成は、型枠本体１Ａと電熱供給部１Ｃから構成されている。
Ａ．型枠本体１Ａは、右方の型枠体１Ａ１と、左方の型枠体１Ａ２と、前方の枠体１Ａ３と、後方の枠体１Ａ４から構成され、第１発明における型枠本体１Ａの構成と同一である。
Ｂ．電熱供給部１Ｃは、型枠本体１Ａにおける右方の型枠体１Ａ１の内側板１Ａ１１と左方の型枠体１Ａ２の内側板１Ａ２１に、それぞれ蛇行状態の電熱線１Ｃ１、１Ｃ２が添着して構成されている。
１Ｃ３はリード線である。
【００２０】
１ロは第１発明の第２他の実施例の梁用型枠である。
そして、その構成は、型枠本体１Ａと電熱シートによる電熱供給部１Ｄから構成されている。
Ａ．型枠本体１Ａは、右方の型枠体１Ａ１と、左方の型枠体１Ａ２と、前方の枠体１Ａ３と、後方の枠体１Ａ４から構成され、第１発明における型枠本体１Ａの構成と同一である。
Ｂ．電熱シートによる電熱供給部１Ｄは、型枠本体１Ａにおける右方の型枠体１Ａ１の内側板１Ａ１１と左方の型枠体１Ａ２の内側板１Ａ２１に、それぞれ電熱シート１Ｄ１、１Ｄ２．．が添着して構成されている。
１Ｄ３はリード線である。
【００２１】
１ハは第１発明の第３他の実施例の梁用型枠である。
そして、その構成は、型枠本体１Ａと温風供給部１Ｅから構成されている。
Ａ．型枠本体１Ａは、右方の型枠体１Ａ１と、左方の型枠体１Ａ２と、前方の枠体１Ａ３と、後方の枠体１Ａ４から構成され、第１発明における型枠本体１Ａの構成と同一である。
Ｂ．温風供給部１Ｅは、型枠本体１Ａにおける右方の型枠体１Ａ１の内側板１Ａ１１と外側板１Ａ１３の間、および左方の型枠体１Ａ２の内側板１Ａ２１と外側板１Ａ２３の間に、それぞれ蛇行状態で形成された右方温風通路１Ｅ１と、左方温風通路１Ｅ２が形成されている。
別途設けた温風送風機１Ｅ３に連結された往きパイプ１Ｅ３１は、各温風通路の始端に連結され、また、還りパイプ１Ｅ３２は各温風通路の終端に連結されている。
【００２２】
１ニは第１発明の第４他の実施例の梁用型枠である。
その構成は、梁用型枠１、１イ、１ロ、１ハの下面に電熱ロードヒーティング１Ｆが配設されている。
【００２３】
２は第２発明の基礎用型枠である。
この第２発明はベース部４Ａの上面中央部に立上がり部４Ｂを形成した所謂布基礎４の製作に関するものである。
そして、その構成は、型枠本体２Ａと温水供給部２Ｂから構成されている。
Ａ．型枠本体２Ａは、右方の型枠体２Ａ１と、左方の型枠体２Ａ２と、前方の枠体２Ａ３と、後方の枠体２Ａ４から構成されている。
ａ．右方の型枠体２Ａ１は、中空状態に構成されている。
詳しくは、内側板２Ａ１１と細幅壁２Ａ１２と外側板２Ａ１３から構成され、内側板２Ａ１１は、布基礎４におけるベース部４Ａと立上がり部４Ｂの右側面に対応するよう構成され、細幅壁２Ａ１２は、所定幅の板を内側板２Ａ１１の外周縁に連結して構成され、外側板２Ａ１３は、布基礎４におけるベース部４Ａと立上がり部４Ｂの右側面に対応するよう構成されていると共に、当該外側板の外周は細幅壁２Ａ１２の外方縁に連結されている。
そして、右方の型枠体２Ａ１の上面と右側面には吊り下げ用環Ｋ、Ｋ．．が取付けられている。
ｂ．左方の型枠体２Ａ２は、中空状態に構成されている。
詳しくは、内側板２Ａ２１と細幅壁２Ａ２２と外側板２Ａ２３から構成され、内側板２Ａ２１は、布基礎４におけるベース部４Ａと立上がり部４Ｂの左側面に対応するよう構成され、細幅壁２Ａ２２は、所定幅の板を内側板２Ａ２１の外周縁に連結して構成され、外側板２Ａ２３は、布基礎４におけるベース部４Ａと立上がり部４Ｂの左側面に対応するよう構成されていると共に、当該外側板の外周は細幅壁２Ａ２２の外方縁に連結されている。
そして、左方の型枠体２Ａ２の上面と左側面には吊り下げ用環Ｋ、Ｋ．．が取付けられている。
【００２４】
ｃ．前方の枠体２Ａ３は、逆Ｔ字状の板で構成され、床面上に所望する間隔をもって起立された右方の型枠体２Ａ１と左方の型枠体２Ａ２の前方端部分に挟持された状態で装着されている。
ｄ．後方の枠体２Ａ４は、逆Ｔ字状の板で構成され、床面上に所望する間隔をもって起立された右方の型枠体２Ａ１と左方の型枠体２Ａ２の後方端部分に挟持された状態で装着されている。
ｅ．右方の型枠体２Ａ１と左方の型枠体２Ａ２の上方部分は、前後のスぺーサー２Ａ５、２Ａ５．．で連結されている。
スぺーサー２Ａ５は棒の両端にナットが螺合されている。
【００２５】
Ｂ．温水供給部２Ｂは、型枠本体２Ａにおける右方の型枠体２Ａ１の内側板２Ａ１１と左方の型枠体２Ａ２の内側板２Ａ２１に、それぞれ蛇行状態の右方温水パイプ２Ｂ１と左方温水パイプ２Ｂ２が添着して構成されている。
別途設けた温水ボイラー２Ｂ３に連結された往きパイプ２Ｂ３１は、各温水パイプの始端に連結され、また、還りパイプ２Ｂ３２は各温水パイプの終端に連結されている。
【００２６】
２イは第２発明の第１他の実施例の基礎用型枠である。
そして、その構成は、型枠本体２Ａと電熱供給部２Ｃから構成されている。
Ａ．型枠本体２Ａは、右方の型枠体２Ａ１と、左方の型枠体２Ａ２と、前方の枠体２Ａ３と、後方の枠体２Ａ４から構成され、第２発明における型枠本体２Ａの構成と同一である。
Ｂ．電熱供給部２Ｃは、型枠本体２Ａにおける右方の型枠体２Ａ１の内側板２Ａ１１と左方の型枠体２Ａ２の内側板２Ａ２１に、それぞれ蛇行状態の電熱線２Ｃ１、２Ｃ２が添着して構成されている。
２Ｃ３はリード線である。
【００２７】
２ロは第２発明の第２他の実施例の基礎用型枠である。
そして、その構成は、型枠本体２Ａと電熱シートによる電熱供給部２Ｄから構成されている。
Ａ．型枠本体２Ａは、右方の型枠体２Ａ１と、左方の型枠体２Ａ２と、前方の枠体２Ａ３と、後方の枠体２Ａ４から構成され、第２発明における型枠本体２Ａの構成と同一である。
Ｂ．電熱シートによる電熱供給部２Ｄは、型枠本体２Ａにおける右方の型枠体２Ａ１の内側板２Ａ１１と左方の型枠体２Ａ２の内側板２Ａ２１に、それぞれ電熱シート２Ｄ１、２Ｄ２．．が添着して構成されている。
２Ｄ３はリード線である。
【００２８】
２ハは第２発明の第３他の実施例の基礎用型枠である。
そして、その構成は、型枠本体２Ａと温風供給部２Ｅから構成されている。
Ａ．型枠本体２Ａは、右方の型枠体２Ａ１と、左方の型枠体２Ａ２と、前方の枠体２Ａ３と、後方の枠体２Ａ４から構成され、第２発明における型枠本体２Ａの構成と同一である。
Ｂ．温風供給部２Ｅは、型枠本体２Ａにおける右方の型枠体２Ａ１の内側板２Ａ１１と外側板２Ａ１３の間、および左方の型枠体２Ａ２の内側板２Ａ２１と外側板２Ａ２３の間に、それぞれ蛇行状態で形成された右方温風通路２Ｅ１と、左方温風通路２Ｅ２が構成されている。
別途設けた温風送風機２Ｅ３に連結された往きパイプ２Ｅ３１は、各温風通路の始端に連結され、また、還りパイプ２Ｅ３２は各温風通路の終端に連結されている。
【００２９】
２ニは第２発明の第４他の実施例の基礎用型枠である。
その構成は、基礎用型枠２、２イ、２ロ、２ハの下面に電熱ロードヒーティング２Ｆが配設されている。
【００３０】
【発明の効果】
本発明は、上述の通り構成されているので次に記載する効果を奏する。
１．今まで不可能とされていた冬期間屋外でのコンクリート製品の製作が可能になる。
２．囲いがないためトラッククレーンが自由に使え、型枠の移動、コンクリート製品の移動、トラック積込みが容易になり、作業効率が飛躍的に向上する。
３．冬期間熱源があれば（除雪さえ行えば）、どんな場所（現場）でも製作可能である。
４．屋内と同じレベルの製品ができる。
５．型枠の温度が上がっている時間帯は、降雪に対し融雪効果があり、脱枠時の除雪が軽減する。
６．囲いの内部を温めるのに比べ養生費用が少なくすみ、その分、製品のコストダウンになる。
７．このほか、安価に製造できる、部品点数が少ないので組立が容易である、経済的である、などの効果をも有するものである。
【図面の簡単な説明】
【図１】第１発明の斜視図である。
【図２】型枠本体の分解斜視図である。
【図３】左右の型枠体部分の１部を切欠いた斜視図である。
【図４】使用状態を説明する縦端面図である。
【図５】左方の型枠体の１部を切欠いた斜視図である。
【図６】第１他の実施例の斜視図である。
【図７】左右の型枠体部分の１部を切欠いた斜視図である。
【図８】使用状態を説明する縦端面図である。
【図９】左方の型枠体の１部を切欠いた斜視図である。
【図１０】第２他の実施例の斜視図である。
【図１１】左右の型枠体部分の１部を切欠いた斜視図である。
【図１２】使用状態を説明する縦端面図である。
【図１３】左方の型枠体の１部を切欠いた斜視図である。
【図１４】第３他の実施例の斜視図である。
【図１５】左右の型枠体部分の１部を切欠いた斜視図である。
【図１６】使用状態を説明する縦端面図である。
【図１７】左方の型枠体の１部を切欠いた斜視図である。
【図１８】第４他の実施例の縦端面図である。
【図１９】第２発明の斜視図である。
【図２０】型枠本体の分解斜視図である。
【図２１】左右の型枠体部分の１部を切欠いた斜視図である。
【図２２】使用状態を説明する縦端面図である。
【図２３】左方の型枠体の１部を切欠いた斜視図である。
【図２４】第１他の実施例の斜視図である。
【図２５】左右の型枠体部分の１部を切欠いた斜視図である。
【図２６】使用状態を説明する縦端面図である。
【図２７】左方の型枠体の１部を切欠いた斜視図である。
【図２８】第２他の実施例の斜視図である。
【図２９】左右の型枠体部分の１部を切欠いた斜視図である。
【図３０】使用状態を説明する縦端面図である。
【図３１】左方の型枠体の１部を切欠いた斜視図である。
【図３２】第３他の実施例の斜視図である。
【図３３】左右の型枠体部分の１部を切欠いた斜視図である。
【図３４】使用状態を説明する縦端面図である。
【図３５】左方の型枠体の１部を切欠いた斜視図である。
【図３６】第３他の実施例の縦端面図である。
【図３７】第４他の実施例の縦端面図である。
【図３８】第１発明で得ようとする桁材の斜視図である。
【図３９】第２発明で得ようとする布基礎の斜視図である。
【符号の説明】
１　第１発明の梁用型枠
１Ａ　型枠本体
１Ｂ　温水供給部
１イ　第１発明の第１他の実施例の梁用型枠
１Ｃ　電熱供給部
１ロ　第１発明の第２他の実施例の梁用型枠
１Ｄ　電熱シートによる電熱供給部
１ハ　第１発明の第３他の実施例の梁用型枠
１Ｅ　温風供給部
１ニ　第１発明の第４他の実施例の梁用型枠
１Ｆ　電熱ロードヒーティング
２　第２発明の基礎用型枠
２Ａ　型枠本体
２Ｂ　温水供給部
２イ　第２発明の第１他の実施例の基礎用型枠
２Ｃ　電熱供給部
２ロ　第２発明の第２他の実施例の基礎用型枠
２Ｄ　電熱シートによる電熱供給部
２ハ　第２発明の第３他の実施例の基礎用型枠
２Ｅ　温風供給部
２ニ　第２発明の第４他の実施例の基礎用型枠
２Ｆ　電熱ロードヒーティング
【図１】
2004009315.tif 000003
【図２】
2004009315.tif 000004
【図３】
2004009315.tif 000005
【図４】
2004009315.tif 000006
【図５】
2004009315.tif 000007
【図６】
2004009315.tif 000008
【図７】
2004009315.tif 000009
【図８】
2004009315.tif 000010
【図９】
2004009315.tif 000011
【図１０】
2004009315.tif 000012
【図１１】
2004009315.tif 000013
【図１２】
2004009315.tif 000014
【図１３】
2004009315.tif 000015
【図１４】
2004009315.tif 000016
【図１５】
2004009315.tif 000017
【図１６】
2004009315.tif 000018
【図１７】
2004009315.tif 000019
【図１８】
2004009315.tif 000020
【図１９】
2004009315.tif 000021
【図２０】
2004009315.tif 000022
【図２１】
2004009315.tif 000023
【図２２】
2004009315.tif 000024
【図２３】
2004009315.tif 000025
【図２４】
2004009315.tif 000026
【図２５】
2004009315.tif 000027
【図２６】
2004009315.tif 000028
【図２７】
2004009315.tif 000029
【図２８】
2004009315.tif 000030
【図２９】
2004009315.tif 000031
【図３０】
2004009315.tif 000032
【図３１】
2004009315.tif 000033
【図３２】
2004009315.tif 000034
【図３３】
2004009315.tif 000035
【図３４】
2004009315.tif 000036
【図３５】
2004009315.tif 000037
【図３６】
2004009315.tif 000038
【図３７】
2004009315.tif 000039
【図３８】
2004009315.tif 000040
【図３９】
2004009315.tif 000041